(57)【要約】      （修正有）【課題】照射エリアを広範囲に調節することができる上に安定した状態を常に保つ。【解決手段】人体頭部に装着されるヘッドフォン型の保持体１を備えて、円弧状に構成された上記保持体１に頭皮に向けて光を照射する光照射部２が前後左右に移動自在に配されている。上記保持体１に沿って配されたレールと、このレールと交差するとともに上記レールに沿って移動自在なガイドレールとを備え、上記光照射部２は上記ガイドレールに沿って移動自在に設けられる。【選択図】図１
2014008084.tif 000002
【特許請求の範囲】
【請求項１】
人体頭部に装着されるヘッドフォン型の保持体を備えて、円弧状に構成された上記保持体に頭皮に向けて光を照射する光照射部が前後左右に移動自在に配されていることを特徴とする光育毛装置。
【請求項２】
上記保持体に沿って配されたレールと、このレールと交差するとともに上記レールに沿って移動自在なガイドレールとを備えて、上記光照射部は上記ガイドレールに沿って移動自在に設けられていることを特徴とする請求項１記載の光育毛装置。
【請求項３】
上記保持体との交差角度が可変となっているガイドレールを備えて、上記光照射部が上記ガイドレールに沿って移動自在に設けられていることを特徴とする請求項１または２記載の光育毛装置。
【発明の詳細な説明】
【技術分野】
【０００１】
本発明は、頭皮に光を照射することで育毛を図る光育毛装置に関するものである。
【背景技術】
【０００２】
人体の頭皮に光を照射することで頭皮の生体組織を活発化させて育毛を補助するためのものとして、特許文献１に示されたものがある。これは左右の耳当て部を連結するフレームを備えたヘッドフォン型のもので、上記フレームに複数の発光ダイオードを頭皮側に向けて設けている。また、上記フレームは上記耳当て部を中心に前後に回動させることができるようにしている。
【先行技術文献】
【特許文献】
【０００３】
【特許文献１】特許第４２５７２９４号
【発明の概要】
【発明が解決しようとする課題】
【０００４】
しかし上記特許文献１に示されたものでは、フレームを前後に動かすことで照射位置を変更することができるだけであり、照射位置をより広範囲に調節することができるものが求められている。また、左右の耳当て部を連結するフレームそのものを動かすために、フレームを前後に大きく回動させた時、重量でずり落ちてしまう虞があり、これを防ぐには耳当て部の重量を相対的に重くしたり、圧接力（保持力）を強くしなければならず、これは頭部への装着感をきわめて悪くする。
【０００５】
本発明は上記問題に鑑みてなされたもので、照射エリアを広範囲に調節することができる上に安定した状態を常に保つことができる光育毛装置を提供することを課題とする。
【課題を解決するための手段】
【０００６】
本発明にかかる光育毛装置は、人体頭部に装着されるヘッドフォン型の保持体を備えて、円弧状に構成された上記保持体に頭皮に向けて光を照射する光照射部が前後左右に移動自在に配されていることに特徴を有している。
【０００７】
上記保持体に沿って配されたレールと、このレールと交差するとともに上記レールに沿って移動自在なガイドレールとを備えて、上記光照射部は上記ガイドレールに沿って移動自在に設けられていることが好ましい。
【０００８】
上記保持体との交差角度が可変となっているガイドレールを備えて、上記光照射部が上記ガイドレールに沿って移動自在に設けられていることも好ましい。
【発明の効果】
【０００９】
本発明においては、保持体は動かさずに光照射部のみを前後左右に動かすことができるものであり、このために安定した状態で光照射部による光照射位置を調節することができる。
【図面の簡単な説明】
【００１０】
【図１】本発明の実施の形態の一例を示すもので、(a)は概略正面図、(b)は概略側面図である。
【図２】同上の要部を示すもので、(a)は部分平面図、(b)は断面図である。
【図３】他例の要部を示すもので、(a)は部分平面図、(b)は断面図である。
【図４】同上のガイドレールの角度を変更した状態の部分平面図である。
【図５】別の例を示すもので、(a)は概略平面図、(b)は概略側面図である。
【発明を実施するための形態】
【００１１】
以下本発明を図示実施例に基づいて詳述すると、図１は本発明の概略構成を示すもので、１は人体の頭部に装着されるヘッドフォン型の保持体であり、左右の耳当て部と両耳当て部を連結する円弧状のフレームとからなる。そして、この保持体１における円弧状部分に光照射部２を前後左右に移動させることができる状態で取り付けてある。なお、図では光照射部２が前後左右に直進するように示しているが、実際は人体頭部の外形状に併せて光照射部２が円弧状の軌跡を描くように移動するものが好ましい。
【００１２】
光照射部２を前後左右に移動自在とする点についての具体的構成を図２に示す。図中３は保持体１に沿って設けられたレールであり、ここでは２つのレール３，３を平行に設けている。なお、レール３，３は保持体１とは別部材で形成して保持体１に取り付けてもよいが、レール３，３が保持体１を構成するようにしておくと、部品点数を削減することができる。図中３０はレール３，３の間隔を保っているレールベースである。
【００１３】
そして上記レール３，３にはレール３，３に沿って移動させることができるスライドベース４０を設けてある。また、スライドベース４０には上記レール３，３に対して直交する２本の平行なガイドレール４，４を設けており、このガイドレール４，４に沿って移動自在なライトベース２０に光照射部２を設けている。
【００１４】
レール３に沿って動かすことで光照射部２の位置を左右に移動させることができ、ガイドレール４に沿って動かすことで光照射部２の位置を前後に移動させることができる。
【００１５】
光照射部２としては、たとえば波長が１４５０ｎｍの近赤外光を出力する発光ダイオードを好適に用いることができるが、光育毛に有効な光を出力することができるものであれば、どのような光源を用いてもよい。
【００１６】
また、ここではレール３の外面側（頭皮と反対側）にガイドレール４及び光照射部２を設けるとともに、各ベース３０，４０，２０は矩形枠状のものとしている。そして、図２に示す位置に光照射部２がある時には、光照射部２からの光は各ベース２０，４０，３０の開口部と２本のガイドレール４，４及び２本のレール３，３間を通じて頭皮に照射される。
【００１７】
図３に示すものは、レール３に沿って移動自在なスライドベース４０に対して回転自在な回転ベース４１を設け、この回転ベース４１にガイドレール４を設けたもので、回転ベース４１の回転によってレール３（保持体１）に対するガイドレール４の交差角度を可変としている。このために、光照射部２の位置をより広範囲に調節することができる。
【００１８】
なお、図２〜図４ではレール３及びガイドレール４を直線状で示しているが、実際にはレール３及びガイドレール４は人体の頭部外形状に添う円弧状となっている。
【００１９】
図５に更に他の例を示す。これは人体の頭部の後頭部寄りのところに装着される保持体１に設けた回転ベース１０にガイドレール４の一端を連結し、ガイドレール４に沿って光照射部２を移動自在としている。ガイドレール４に沿って光照射部２を移動させることで前後方向に光照射部２の位置を変更することができ、保持体１に対して回転ベース１０及びガイドレール４を回転させることで光照射部２の位置を左右に変更することができる。少ない部品で済む上に、頭頂部付近への光照射をよりフィットした状態で行うことができる。
【符号の説明】
【００２０】
１  保持体
２  光照射部
３  レール
４  ガイドレール
【図１】
2014008084.tif 000003
【図２】
2014008084.tif 000004
【図３】
2014008084.tif 000005
【図４】
2014008084.tif 000006
【図５】
2014008084.tif 000007